(57)【要約】【課題】  現状の多眼立体ディスプレイにおいては、観察者の視点移動の際に立体画像の画像飛び・画像の切り変わりを顕著に知覚し、連続的な立体物としては違和感を覚える。また、立体映像の呈示条件に影響を受け、同一コンテンツでもディスプレイ面からの乖離量（飛び出し量）が大きいほど、画像飛び・画像の切り替わりを顕著に知覚し、違和感を覚えるという課題があった。【解決手段】  ３つ以上の視差画像情報をもとに多眼立体映像を再生する装置において、観察者が多眼立体映像を鑑賞する際、呈示される立体物の乖離量に対応したクロストーク量でのクロストーク画像の鑑賞領域を設け、加えて、乖離量にあった視差画像の画像分離幅で呈示することによって、画像飛び・画像の切り替わりが知覚されない３次元映像を提供する。【選択図】  図１
2010014891.tif 000002
【特許請求の範囲】
【請求項１】
Ｎ視点（Ｎは３以上の自然数）からの視差画像情報を入力とし，Ｍ（Ｍは３以上の自然数）通りの異なる方向に独立に視差画像を鑑賞者に呈示し、呈示する立体画像の呈示位置とディスプレイ面との乖離量に応じて、視差画像同士のクロストーク量を変化させる手段を有することを特徴とする３次元画像表示装置。
【請求項２】
Ｎ視点（Ｎは３以上の自然数）からの視差画像情報を入力とし，Ｍ（Ｍは３以上の自然数）通りの異なる方向に独立に視差画像を鑑賞者に呈示し、呈示する立体画像の呈示位置とディスプレイ面との乖離量が大きくなるにつれ、視差画像同士のクロストーク量を単調減少させる手段を有することを特徴とする請求項１に記載の３次元画像表示装置。
【請求項３】
Ｎ視点（Ｎは３以上の自然数）からの視差画像情報を入力とし，Ｍ（Ｍは３以上の自然数）通りの異なる方向に独立に視差画像を鑑賞者に呈示し、Ｎ＞Ｍなる条件において、呈示する立体画像の呈示位置とディスプレイ面との乖離量に応じて、視差画像の画像分離幅を変化させる手段を有することを特徴とする３次元画像表示装置。
【請求項４】
Ｎ視点（Ｎは３以上の自然数）からの視差画像情報を入力とし，Ｍ（Ｍは３以上の自然数）通りの異なる方向に独立に視差画像を鑑賞者に呈示し、Ｎ＞Ｍなる条件において、呈示する立体画像の呈示位置とディスプレイ面との乖離量に応じて、視差画像の画像分離幅を単調減少させる手段を有することを特徴とする請求項３に記載の３次元画像表示装置。
【請求項５】
Ｎ視点（Ｎは３以上の自然数）からの視差画像情報を入力とし，Ｍ（Ｍは３以上の自然数）通りの異なる方向に独立に視差画像を鑑賞者に呈示し、観察者が呈示する立体画像の飛び出し量・呈示範囲を判断し、飛び出し量を入力する手段を有することを特徴とする請求項１〜請求項４のいずれかに記載の３次元画像表示装置。
【請求項６】
Ｎ視点（Ｎは３以上の自然数）からの視差画像情報を入力とし，Ｍ（Ｍは３以上の自然数）通りの異なる方向に独立に視差画像を鑑賞者に呈示し、呈示する立体画像の飛び出し量を、立体画像を構成する視差画像情報のヘッダ領域内に記録された呈示位置情報を読み取り、飛び出し量を検出することを特徴とする請求項１〜請求項４のいずれかに記載の３次元画像表示装置。
【請求項７】
Ｎ視点（Ｎは３以上の自然数）からの視差画像情報を入力とし，Ｍ（Ｍは３以上の自然数）通りの異なる方向に独立に視差画像を鑑賞者に呈示し、呈示する立体画像の飛び出し量を、立体画像を構成する視差画像情報間の相関係数から飛び出し量を検出することを特徴とする請求項１〜請求項４のいずれかに記載の３次元画像表示装置。
【発明の詳細な説明】
【技術分野】
【０００１】
本発明は、観察者の水平頭部運動により観察される多眼立体映像の切り替わり・画像とびを目立たなくし、連続的な立体映像を表示可能な空間分割式の多眼立体ディスプレイに関するものである。
【背景技術】
【０００２】
従来の運動視差を表現する多視点画像表示装置として、パララックス・パノラマグラム方式がある。
【０００３】
図１１は、パララックス・パノラマグラム方式の多視点画像表示装置１００１の一例であり、８個の異なるストライプ画像１〜８を多視点画像表示装置１００１から距離Ｌ０の観察位置４００に水平方向に分離して表示することが可能なものである。
【０００４】
多視点画像表示装置１００１は、表示デバイス２０１とマスク３０１から構成される。
【０００５】
表示デバイス２０１は、ＣＲＴや液晶ディスプレイやプラズマディスプレイなどから成り、８個の異なる位置から撮影した画像を用いて作成したストライプ合成視差画像（以下合成画像）が表示される。
【０００６】
表示デバイス２０１の表示面側には、縦スリット状の開口３１１と遮光３２１を水平方向に複数並べたマスク３０１を設けている。
【０００７】
図１２と図１３は多視点画像の入力と合成を説明するものである。
【０００８】
図１２の被写体４０１を水平方向に等間隔ｅで並べられた８個のカメラ５１１〜５１８を備えた複眼カメラ５０１を用いて入力する。図１３に、カメラ５１１〜５１８で撮影された夫々８個の画像６１１〜６１８を示す。前記８個の異なるカメラから撮影した画像６１１〜６１８は、縦長の短冊状に分割され、これらの短冊画像を水平方向に、順次繰り返し並べて合成し、合成視差画像６０１が作成される。
【０００９】
図１０は多視点画像表示装置１００１の水平方向断面図である。
【００１０】
観察者は多視点画像表示装置１００１から距離Ｌ０の幅８ｅの領域において、水平方向の視点（観察位置）の移動に応じて連続的な運動視差を持った自然な立体画像を観察することができる。
【００１１】
ｅの領域が１視点分の視差画像の観察量域となり、観察者がｅ水平移動すると隣の視点の視差画像の鑑賞域に入ることから、この領域ｅが、観察面での画像分離幅となる。
【００１２】
上記の例として、下記特許文献１をあげることが出来る。
【特許文献１】特開２００６−１０６６０８号公報
【発明の開示】
【発明が解決しようとする課題】
【００１３】
ところで、前述従来例の多視点画像表示装置では、運動視差は再現されるが、多数の映像によって視差が離散化されているため、眼の位置を水平方向に画像分離幅移動する間に、必ず１度は映像の変わり目を知覚してしまう。
【００１４】
図６が、図１０の多視点画像表示装置１００１の観察面４００での輝度分布波形の説明図である。図６の６０１〜６０５が、開口幅３１１を通過した観察面４００での輝度分布波形の一例の三角波形である。
【００１５】
観察眼５０１では視点１に対応する視差画像を最大輝度で観察でき、また、観察眼５０３でも、視点２に対応する視差画像を、輝度波形（三角波）の頂点である最大輝度で観察できる。しかし、観察眼５０２では、隣り合う視点１と視点２の境界点となり、輝度波形の最小値で視差画像を観察することとなる。時には、この境界点では視差画像が黒く見えてしまうこともある。
【００１６】
このような輝度波形上を観察眼が通過することで、輝度の変化を通じ、映像の切り換わりを知覚されてしまうという不都合が生じる。
【００１７】
また、図７が、図１０の多視点画像表示装置１００１で乖離量の違う立体物を呈示する際、ディスプレイ面２０１に表示される合成画像のもととなる視差画像（視差量）の違いを説明する図である。
【００１８】
観察距離Ｌ０で、視点１に対応する観察眼５０１と画像分離幅ｅ水平方向に移動し、視点２に対応する観察眼５０３の２眼で立体物を観察すると仮定した場合、ディスプレイ表示面３５０から乖離量Ｂ１０の立体物Ｂ１を構成する視差画像はＢ１１とＢ１２となり、Ｂ１１とＢ１２の視差量はＢ１３となる。
また、乖離量Ｂ２０の立体物Ｂ２を構成する視差画像はＢ２１とＢ２２となり、Ｂ２１とＢ２２の視差量はＢ２３となる。
【００１９】
このように、多視点画像表示装置１００１に呈示する立体映像の乖離量（飛び出し量）が、ディスプレイ面から乖離する（飛び出し量が大きい）ほど、ディスプレイ面２０１に表示される合成画像を構成する視差画像の視差量が大きくなる（Ｂ１３＜Ｂ２３）。
【００２０】
このため、視差量が大きいほど水平方向の移動量に対し、映像の変化量が大きくなり、このことが「画像跳び（ｆｌｉｐｐｉｎｇ）」として顕著に知覚され、その結果、連続的な立体画像として知覚されないという不都合が生じる。
【課題を解決するための手段】
【００２１】
本発明は、前述従来例の問題点を除去し、観察者の水平頭部運動による観察者眼の位置を左右に動かすことにより知覚する多眼立体映像の切り替わり・画像跳びを目立たなくし、連続的な立体映像を表示可能な多眼立体ディスプレイを提供することを目的とする。
【００２２】
本発明にかかる３次元画像表示装置は、
Ｎ視点（Ｎは３以上の自然数）からの視差画像情報を入力とし，Ｍ（Ｍは３以上の自然数）通りの異なる方向に独立に視差画像を鑑賞者に呈示する３次元画像表示装置において、
呈示する立体画像の呈示位置とディスプレイ面との乖離量に応じて、視差画像同士のクロストーク量を変化させる手段を有することを特徴とする。
【００２３】
特に、呈示する立体画像の呈示位置とディスプレイ面との乖離量が大きくなるにつれ、視差画像同士のクロストーク量を単調減少させる手段を有することを特徴としている。
【００２４】
また、Ｎ＞Ｍなる条件において、呈示する立体画像の呈示位置とディスプレイ面との乖離量に応じて、視差画像の画像分離幅を変化させる手段を有することを特徴とする。
【００２５】
特に、Ｎ＞Ｍなる条件において、呈示する立体画像の呈示位置とディスプレイ面との乖離量に応じて、視差画像の画像分離幅を単調減少させる手段を有することを特徴としている。
【００２６】
また、前記３次元画像表示装置において、観察者が呈示する立体画像の飛び出し量・呈示範囲を判断し、飛び出し量を入力する手段を有することを特徴としている。
【００２７】
また、前記３次元画像表示装置において、呈示する立体画像の飛び出し量を、立体画像を構成する視差画像情報のヘッダ領域内に記録された呈示位置情報を読み取り、飛び出し量を検出することを特徴としている。
【００２８】
また、前記３次元画像表示装置において、呈示する立体画像の飛び出し量を、立体画像を構成する視差画像情報間の相関から飛び出し量を検出することを特徴としている。
【発明の効果】
【００２９】
３つ以上の視差画像情報をもとに多眼立体映像を再生する装置において、観察者が多眼立体映像を鑑賞する際、呈示される立体物の乖離量に対応したクロストーク量でのクロストーク画像の鑑賞領域を設け、加えて、乖離量にあった視差画像の画像分離幅で呈示することによって、画像飛び・画像の切り替わりが知覚されない３次元映像を提供できる。
【発明を実施するための最良の形態】
【００３０】
次に、本発明の詳細を実施例の記述に従って説明する。
【００３１】
図１は、同装置の第一の実施形態を示す概略図である。
【００３２】
図中２０１はディスプレイであり、例えばバックライト光源を有する液晶素子（ＬＣＤ）などであり、その表示面はマトリックス構造の多数の画素から成り、ノーインターレースの走査線によって画像を表示する。１〜８は、ディスプレイ２０１の画素表示面に表示する後述のストライプ視差画像の状態を模式的に表した模式図である。４５０は、ディスプレイ２０１に表示されたストライプ視差画像１〜８が、後述する３０１を通過し、観察面４００で観察されるストライプ合成画像１〜８を模式的に表した図である。
【００３３】
３０１は空間光変調素子であり、透過型液晶素子などで構成しており、その表示面はマトリックス構造の多数の画素からなっており、ディスプレイ２０１にストライプ視差画像を表示する際は所定のピッチの光透過部（開口部）３１１と光遮光部３２１を水平方向に配列してパララックス・バリアパターン（開光パターン）を形成する（表示する）。
【００３４】
Ａ１は、後述するストライプ視差画像の基となるＮ系統の原視差画像の視差画像ソースであり、Ａ２は立体物の乖離量入力手段、Ａ３は空間光変調素子３０１の開口部３１１の幅と、観察面４００で観察されるストライプ合成画像の画像分離幅ｅを決定する開口幅／表示幅の判断手段、Ａ４は後述のストライプ視差画像の画像処理手段、Ａ５は空間光変調素子を駆動させるバリア駆動回路、Ａ６はディスプレイ２０１を駆動させるディスプレイ駆動回路である。
【００３５】
視差画像ソースＡ１は、前記従来技術で説明した図１２と同様なものであり、例えば多チャンネルのカメラ５１１〜５１８から入力されたＶＴＲ、或いは被写体の３次元データなどから構成されている。以下これからの複数の画像及び３次元データを視差画像情報と呼ぶことにする。なお、多チャンネルのＶＴＲ、多チャンネル撮像装置等では複数の画像を有しているが、これらの画像から視差画像（視差の有る画像）が選択されるので、これらの複数の画像を原視差画像と呼ぶことにする。
【００３６】
立体物の乖離量入力手段Ａ２は、観察者が観察したい視差画像情報を後述するディスプレイ駆動回路Ａ６、バリア駆動回路Ａ５を用い、観察面４００で立体像として観察し、立体画像の主被写体、もしくは、最もディスプレイ面３５０から乖離した被写体を基準に、ディスプレイからの乖離量を判断し入力する手段である。入力手段は、複数のボタンから構成された入力デバイスにより、乖離量を入力する手段、また、例えば、ディスプレイ面を基準に±０．０５Ｄ（Ｄ：ディオプターは、メートルの逆数）、±０．１０Ｄ、±０．１５Ｄという具合に複数の乖離条件に対応したボタンから構成された入力デバイスを用い、観察者が判断し入力する手段などが考えられる。
【００３７】
図２は開口幅／表示幅の判断手段Ａ３を説明したフローチャートであり、前記乖離量入力手段Ａ２より選られた立体像のディスプレイ面３５０からの乖離量を基に、最適なマスクの開口幅３１１、ストライプ合成画像の画像分離幅ｅを決定する。
【００３８】
前記乖離量入力手段Ａ２より乖離量Ｊが入力された場合、乖離量Ｊが乖離条件Ｆ１を満たすため開口幅Ｇが、バリア駆動手段Ａ５に伝えられる。加えて、画像分離幅Ｄが画像合成手段Ａ４に伝えられる。乖離量Ｋが入力された場合、乖離条件Ｆ２を満たすため、開口幅Ｈがマバリア駆動手段Ａ５に伝えられ、加えて、画像分離幅Ｅが画像処理手段Ａ４に伝えられる。乖離量Ｌが入力された場合、乖離条件Ｆ３を満たすため、開口幅Ｉをバリア駆動手段に伝え、加えて、画像分離幅Ｆが画像合成手段に伝えられる。
【００３９】
図８は乖離量とマスクの開口幅３１１の関係を示したグラフであり、乖離量が大きくなるほど、マスクの開口幅が単調減少するという関係を示した一例である。
【００４０】
図９は乖離量と画像分離幅の関係を示したグラフであり、乖離量が大きくなるほど、観察面でのストライプ合成画像の画像分離幅ｅが単調減少するという関係を示した一例である。
【００４１】
Ａ５はバリア駆動回路であり、開口幅／表示幅の判断手段Ａ３からの開口幅信号により空間光変調素子３０１を駆動してその上にパララックス・バリアパターンを形成する。以下、開口幅を変化させたときの効果を説明する。
【００４２】
図３に、表示デバイス２０１に表示されたストライプ視差画像が、開口幅Ｏ１（Ｏ１≒０）の空間光変調素子３０１を通過した観察面上での輝度分布波形を示す。
【００４３】
ストライプ視差画像２の両端から開口幅Ｏ１を通り観察面４００まで伸ばした線Ｓ１とＳ２が、観察位置４００で交わる点Ｔ１と点Ｔ３の間隔Ｒ２が、視点２の観察領域となる。ストライプ視差画像２の中心から開口幅Ｏ１を通り観察位置４００まで伸ばした点線ＴＳ１と、観察位置４００が交わる点Ｔ２が視点２の観察領域Ｒ２の中心である。
【００４４】
また、ストライプ表示画像３の両端から開口幅Ｏ１を通り観察面４００まで伸ばした線Ｓ２とＳ３が、観察位置４００で交わる点Ｔ３と点Ｔ５の間隔Ｒ３が、視点３の観察領域となる。ストライプ表示画像３の中心から開口幅Ｏ１を通り観察位置４００まで伸ばした点線ＴＳ２と、観察位置４００が交わる点Ｔ４が視点３の観察領域Ｒ３の中心である。
【００４５】
Ｗ２が視点２の観察領域Ｒ２の観察面上での輝度分布波形であり、Ｗ３が視点３の観察領域Ｒ３の観察面上での輝度分布波形である。
【００４６】
視点２の観察領域Ｒ２と視点３の観察領域Ｒ３の境界点Ｔ３での輝度が最小値となり、視点２の中心点Ｔ２と視点３の中心点Ｔ４が最大値となる。
【００４７】
図４に開口幅Ｏ２（Ｏ１＜Ｏ２）での観察面上での輝度分布波形を示す。
【００４８】
ストライプ視差画像２の両端から開口幅Ｏ２の両端を通り観察面４００まで伸ばした線Ｓ１とＳ２が、観察位置４００で交わる点Ｔ１と点Ｔ３１の間隔Ｒ２が、視点２の観察領域となる。ストライプ表示画像２の中心から開口幅Ｏ２の両端を通り観察位置４００まで伸ばした点線ＴＳ１と、観察位置４００が交わる点Ｔ２が視点２の観察領域Ｒ２の中心である。
【００４９】
また、ストライプ表示画像３の両端から開口幅Ｏ２の両端を通り観察面４００まで伸ばした線Ｓ３１とＳ３２が、観察位置４００で交わる点Ｔ５１と点Ｔ３２の間隔Ｒ３が、視点３の観察領域となる。ストライプ表示画像３の中心から開口幅Ｏ２の両端を通り観察位置４００まで伸ばした点線ＴＳ２と、観察位置４００が交わる点Ｔ４が視点３の観察領域Ｒ３の中心である。
【００５０】
Ｗ２が視点２の観察領域Ｒ２の観察面上での輝度分布波形であり、Ｗ３が視点３の観察領域Ｒ３の観察面上での輝度分布波形である。
【００５１】
ＣＴが、視点２の観察領域Ｒ２と視点３の観察領域Ｒ３が重なる領域（クロストーク領域）である。故に前記クロストーク領域ＣＴでは、視点２の輝度分布波形Ｗ２と視点３の輝度分布波形Ｗ３の輝度が加算される領域となり、視点２の中心点Ｔ２と視点３の中心点Ｔ５の最大輝度との輝度差Δが、開口幅Ｏ１の時に比べ少なくなる。
【００５２】
Ａ４は画像処理手段であり、前記従来技術で示した図１３のような視差画像の合成を行う処理手段である。開口幅／表示幅の判断手段Ａ５より得られた最適な画像分離幅ｅから、表示デバイス２０１上での視差画像の表示幅Ｈ１を算出し、算出された表示幅で全視差画像を水平方向に分割し、縦長のストライプ状のストライプ視差画像を生成して、それらを交互に並べて１枚のストライプ画像に合成する手段である。
【００５３】
図３を用い、開口幅／表示幅の判断手段Ａ５から視差画像の表示幅Ｈ１の算出式の一例を説明する。画像分離幅ｅは、視点２の画像鑑賞域Ｒ２、視点３の画像鑑賞域Ｒ３と等しく、鑑賞位置４００と表示デバイス２０１とマスク３０１とは平行関係にあることから、以下の関係が成り立つ。
【００５４】
Ｒ２：Ｌ０＝Ｈ１：Ｌ１
ディスプレイの設計値でＬ１とＬ０が決定し、開口幅／表示幅の判断手段Ａ５から画像分離幅ｅであるＲ２が得られるため、以下の式でＨ１が算出される。
【００５５】
Ｈ１＝Ｒ２＊Ｌ１／Ｌ０
Ａ６はディスプレイ駆動回路であり、画像処理手段Ａ４が合成して出力する図１３のストライプ合成画像６０１をディスプレイの表示面に表示する。
【００５６】
本実施形態のストライプ合成画像６０１とパララックス・バリアパターンとの関係について図３を用い説明する。観察者の両眼間隔（基線長）をＰＤ、観察距離をＬ０、表示デバイス２０１と空間光変調素子（パララックス・バリア）３０１との間隔をＬ１、空間光変調素子３０１に形成したパララックス・バリアパターンの開口部の幅をＯ１、表示デバイス２０１に表示するストライプ合成画像を構成するストライプ画素の表示幅をＨ１とすると、立体視を得るためにはこれらの間には以下の関係を満足させる必要がある。
【００５７】
・Ｌ１＝Ｈ１＊Ｌ０／（ＰＤ＋Ｈ１）
・Ｏ１＝Ｈ１＊（Ｌ０−Ｌ１）／Ｌ０
なお、実際には観察位置４００において観察幅は有限の広がりをもつので、これらの諸量は若干変更して設定されることになる。
【００５８】
図５は、同装置の第二の実施形態を示す概略図である。
【００５９】
Ａ１１の視差画像ソース以外は、上述した第一の実施形態と基本的には同じなので、説明は省略する。
【００６０】
視差画像ソースＡ１１は、実施形態１の視差画像ソースＡ１に加え、図１２のカメラ５１１〜５１８で撮影者が撮影のために設定したカメラの焦点距離情報と、主被写体までの焦点距離情報データ、もしくはこの焦点距離の差分の飛び出し量（乖離量）データが、視差画像ソースの画像フォーマットのヘッダ領域内に記録され、このデータが乖離量として、開口幅／表示幅の判断手段Ａ３に入力するものである。
【００６１】
もしくは、複眼カメラの２つのカメラから入力された視差画像の同一走査線同士の相関係数を算出し、相関係数が大きくなるほど、乖離量（飛び出し量）が大きいと判断し、相関係数を乖離量として、開口幅／表示幅の判断手段Ａ３に入力するものである。
【図面の簡単な説明】
【００６２】
【図１】同装置の第１の実施形態を示す概略図
【図２】開口幅／画像分離幅の判断手段
【図３】マスクの開口幅（小）と観察面での輝度分布波形を示した概略図
【図４】マスクの開口幅（大）と観察面での輝度分布波形を示した概略図
【図５】同装置の第２の実施形態を示す概略図
【図６】観察面での輝度分布波形を示した図
【図７】乖離量の異なる立体物の視差量の違いを示した図
【図８】乖離量とマスクの開口幅の関係を示した図
【図９】乖離量と画像分離幅の関係を示した図
【図１０】多視点表示装置の水平方向の断面図
【図１１】パララックス・パノラマグラム方式の多視点表示装置の概略図
【図１２】視差画像の入力に関する説明図
【図１３】視差画像の合成方法の説明図
【符号の説明】
【００６３】
１〜８  ストライプ視差画像（２０１上）、および、ストライプ合成画像（４００上）
２０１  表示デバイス
３０１  マスク
３１１  マスクの開口部
３２１  マスクの遮光部
３５０  ディスプレイの表示面
１００１  多視点画像表示装置
Ｌ０  観察距離
Ｌ１  表示デバイスとマスクの距離
４００  観察位置
４５０  鑑賞面
４０１  被写体
ｅ  画像分離幅
５１１〜５１８  カメラ
５０１  複眼カメラ
６１１〜６１８  カメラ５１１〜５１８の撮影画像
６０１  ストライプ合成画像
６０１〜６０５  輝度分布波形
５０１〜５０３  観察眼
Ｂ１  乖離量Ｂ１０の立体物
Ｂ１１  乖離量Ｂ１０の視差画像
Ｂ１２  乖離量Ｂ１０の視差画像
Ｂ１３  乖離量Ｂ１０の視差量
Ｂ１０  乖離量
Ｂ２  乖離量Ｂ２０の立体物
Ｂ２１  乖離量Ｂ２０の視差画像
Ｂ２２  乖離量Ｂ２０の視差画像
Ｂ２３  乖離量Ｂ２０の視差量
Ｂ２０  乖離量
Ａ１  実施形態１の視差画像ソース
Ａ１１  実施形態２の視差画像ソース
Ａ２  立体物の乖離量入力手段
Ａ３  開口幅／表示幅の判断手段
Ａ４  画像処理手段
Ａ５  バリア駆動回路
Ａ６  ディスプレイ駆動回路
Ｆ１  乖離量の判断条件
Ｆ２  乖離量の判断条件
Ｆ３  乖離量の判断条件
Ｄ  画像分離幅  大
Ｅ  画像分離幅  中
Ｆ  画像分離幅  小
Ｇ  開口幅  大
Ｈ  開口幅  中
Ｈ１  表示幅
Ｉ  開口幅  小
Ｊ  乖離量  小
Ｋ  乖離量  中
Ｌ  乖離量  大
Ｓ１  光線
Ｓ２  光線
Ｓ３  光線
Ｓ４  光線
ＴＳ１  光線
ＴＳ２  光線
Ｏ１  開口幅  小
Ｏ２  開口幅  大
Ｔ１  光線と観察位置との交点
Ｔ２  光線と観察位置との交点
Ｔ３  光線と観察位置との交点
Ｔ３１  光線と観察位置との交点
Ｔ３２  光線と観察位置との交点
Ｔ４  光線と観察位置との交点
Ｔ５  光線と観察位置との交点
ＴＳ１  光線
ＴＳ２  光線
ＣＴ  クロストーク領域
Ｒ２  画像分離幅
Ｒ３  画像分離幅
Ｗ２  輝度分布
Ｗ３  輝度分布
【図１】
2010014891.tif 000003
【図２】
2010014891.tif 000004
【図３】
2010014891.tif 000005
【図４】
2010014891.tif 000006
【図５】
2010014891.tif 000007
【図６】
2010014891.tif 000008
【図７】
2010014891.tif 000009
【図８】
2010014891.tif 000010
【図９】
2010014891.tif 000011
【図１０】
2010014891.tif 000012
【図１１】
2010014891.tif 000013
【図１２】
2010014891.tif 000014
【図１３】
2010014891.tif 000015